(57)【特許請求の範囲】
【請求項１】
液晶層を含む液晶パネルと、該液晶パネルに光を供給する導光体と、該導光体及び前記液晶パネルを支持する枠とを有し、
前記枠は、前記導光体と一体に形成されると共に前記導光体の側面の全部又は
一部及び前記液晶パネルの側面の全部又は一部に対応して設けられ、さらに
前記枠の全面又は一部には遮光層が設けられ、
前記導光体を挟んで前記液晶パネルの反対側に配置された回路基板をさらに有し、前記枠は該回路基板を支持する
ことを特徴とする液晶装置。
【請求項２】
請求項１において、前記遮光層は黒色インク又は暗色インクを塗布することによって形成されることを特徴とする液晶装置。
【請求項３】
請求項１又は請求項２において、前記遮光層は、前記導光体と前記液晶パネルとを重ね合わせた高さよりも高い高さを有することを特徴とする液晶装置。
【請求項４】
請求項１又は請求項２において、前記遮光層は、前記導光体と前記液晶パネルとを重ね合わせた高さとほぼ同じ高さを有することを特徴とする液晶装置。
【請求項５】
請求項１において、前記遮光層は、前記導光体と前記液晶パネルと前記回路基板とを重ね合わせた高さよりも高い高さを有することを特徴とする液晶装置。
【請求項６】
請求項１において、前記遮光層は、前記導光体と前記液晶パネルと前記回路基板とを重ね合わせた高さとほぼ同じ高さを有することを特徴とする液晶装置。
【請求項７】
液晶層を含む液晶装置と、該液晶装置を包囲する遮光性のケースとを有し、該ケースは前記液晶装置の側面に対応して隙間を有し、
前記液晶装置は、液晶層を含む液晶パネルと、該液晶パネルに光を供給する導光体と、該導光体及び前記液晶パネルを支持する枠とを有し、
前記枠は、前記導光体と一体に形成されると共に前記導光体の側面の全部又は一部及び前記液晶パネルの側面の全部又は一部に対応して設けられ、さらに  前記枠の全面又は一部には遮光層が設けられ、
前記導光体を挟んで前記液晶パネルの反対側に配置された回路基板をさらに有し、前記枠は該回路基板を支持する
ことを特徴とする電子機器。
【請求項８】
請求項７において、前記液晶装置は請求項２から請求項６の少なくともいずれか１つに記載の液晶装置によって構成されることを特徴とする電子機器。
【請求項９】
液晶層を含む液晶装置と、互いに組み合わされた状態で前記液晶装置を包囲する一対の遮光性のケースとを有し、該一対のケースは前記液晶装置の側面に対応して組み合わせの境目を有し、
前記液晶装置は、液晶層を含む液晶パネルと、該液晶パネルに光を供給する導光体と、該導光体及び前記液晶パネルを支持する枠とを有し、
前記枠は、前記導光体と一体に形成されると共に前記導光体の側面の全部又は一部及び前記液晶パネルの側面の全部又は一部に対応して設けられ、さらに
前記枠の全面又は一部には遮光層が設けられる
ことを特徴とする電子機器。
【請求項１０】
請求項９において、前記液晶装置は請求項２から請求項６の少なくともいずれか１つに記載の液晶装置によって構成されることを特徴とする電子機器。
【請求項１１】
液晶層を含む液晶装置と、該液晶装置を包囲する遮光性のケースとを有し、該ケースは前記液晶装置の側面に対応して電子部品の装着部が設けられ、
前記液晶装置は、液晶層を含む液晶パネルと、該液晶パネルに光を供給する導光体と、該導光体及び前記液晶パネルを支持する枠とを有し、
前記枠は、前記導光体と一体に形成されると共に前記導光体の側面の全部又は一部及び前記液晶パネルの側面の全部又は一部に対応して設けられ、さらに
前記枠の全面又は一部には遮光層が設けられる
ことを特徴とする電子機器。
【請求項１２】
請求項１１において、前記電子部品は開口を含んでおり、
該開口を通して前記ケースの内側と外側が通じていることを特徴とする電子機器。
【請求項１３】
請求項１１又は請求項１２において、前記液晶装置は請求項２から請求項６の少なくともいずれか１つに記載の液晶装置によって構成されることを特徴とする電子機器。
【発明の詳細な説明】
【０００１】
【発明の属する技術分野】
本発明は、一対の基板間に挟持された液晶の配向を制御することによって表示を行う液晶装置に関する。また、本発明は、その液晶装置を用いて構成される携帯電話機、携帯電子端末機等といった電子機器に関する。
【０００２】
【従来の技術】
携帯電話機等といった電子機器は、例えば、各種情報を文字、数字等といった可視像として表示する液晶装置と、その液晶装置を包囲するケースとを有する。また、ケースは一般に上ケースと下ケースとを組み合わせることによって液晶装置を包囲する。
【０００３】
液晶装置には、太陽光、室内光等といった外部光を利用して表示を行う方式の反射型表示方式の液晶装置や、内蔵する照明装置を用いて表示を行う方式の透過型表示方式の液晶装置や、反射型と透過型の両方の機能を併せて有する方式の半透過反射方式の液晶装置等がある。
【０００４】
また、特開平９−２９２５３３号公報によれば、液晶装置を構成する導光体の端面に反射層を設け、その反射層の表面にさらに遮光層を設けるという技術が開示されている。
【０００５】
【発明が解決しようとする課題】
透過型表示方式の液晶装置及び半透過反射方式の液晶装置を用いた電子機器においては、その電子機器の内部に発光源が配設される。この構造の電子機器において、従来、液晶装置の発光源から出た光が液晶装置の側面部から漏れ、この漏れ出た光が電子機器の上ケースと下ケースとの間の微小な隙間を通して外部へ漏れ出ることがあった。このような電子機器に関しては、これを暗所において使用するときに該電子機器からの光漏れが外部から認識されて製品価値を低下させるという問題があった。
【０００６】
液晶装置の中には、発光源からの光を導光体によって導いて液晶パネルに平面的に供給する構造のものがある。また、導光体と液晶パネルとを枠を用いて組み付ける構造の液晶装置も知られている。さらに、導光体と枠とを予め一体に形成しておいて、その枠によって液晶パネルを支持することにより導光体と液晶パネルとを互いに組み付ける構造の液晶装置も知られている。このように導光体と枠とを一体に形成する構造においては、導光体の光が枠を伝わって該枠の外側へ漏れ易いので、この構造を用いた液晶装置を内蔵する電子機器に関しては、特に、光漏れが顕著であった。
【０００７】
また、特開平９−２９２５３３号公報によれば、導光体の端面に遮光層を設けるという技術が開示されているが、この技術では、導光体と液晶パネルとを重ねて組み合わせたときの両者の境界部分からの光の漏れまでは防止できず、やはり、電子機器を暗所で使用するときに該電子機器からの光漏れが外部から認識されて製品価値を低下させるという問題があった。
【０００８】
本発明は、上記の問題点を解消するために成されたものであって、外部への光漏れを防止できる液晶装置及び電子機器を提供することを目的とする。
【０００９】
【課題を解決するための手段】
本発明の液晶層を含む液晶パネルと、該液晶パネルに光を供給する導光体と、該導光体及び前記液晶パネルを支持する枠とを有し、前記枠は、前記導光体と一体に形成されると共に前記導光体の側面の全部又は一部及び前記液晶パネルの側面の全部又は一部に対応して設けられ、さらに前記枠の全面又は一部には遮光層が設けられ、前記導光体を挟んで前記液晶パネルの反対側に配置された回路基板をさらに有し、前記枠は該回路基板を支持することを特徴とする。
【００１０】
この構成の液晶装置によれば、導光体と液晶パネルの両方をそれらの側面から支持する枠に遮光層を設けたので、導光体の側面、液晶パネルの側面及び導光体と液晶パネルとの重ね合わせ部分の側面の全てからの光漏れを確実に防止でき、それ故、液晶装置からの光漏れ、ひいては、その液晶装置を利用する電子機器からの光漏れを確実に防止できる。
【００１１】
また、上記構成の液晶装置によれば、導光体と枠とを一体に形成したので、部品点数の低減、液晶装置の組み立て性の向上、液晶装置の小型化等といった多くの効果が得られるものの、導光体と一体に形成された枠を通して外部へ光が漏れ易い傾向にある。しかしながら、本発明のように枠に遮光層を設ければ、光の漏れを確実に防止できる。
【００１２】
次に、上記構成の液晶装置において、前記遮光層は黒色インク又は暗色インクを塗布することによって形成することができる。これにより、遮光層を枠の表面に均一に形成することができる。
【００１３】
次に、上記構成の液晶装置において、前記遮光層は、前記導光体と前記液晶パネルとを重ね合わせた高さよりも高い高さを有することが望ましい。これにより、導光体の側面から漏れ出る光、導光体と液晶パネルとの間から漏れ出る光及び液晶パネルの側面から漏れ出る光といった各種の光が外部へ漏れ出るのを確実に防止できる。
【００１４】
なお、遮光層の高さは導光体と液晶パネルとを重ね合わせた高さとほぼ同じ高さとすることもできる。この場合でも、液晶装置の外部への光の漏れを防止することができる。ここで、「ほぼ同じ高さ」とは、正確に同じ高さとなる場合はもとより、部品の製作誤差や、部品同士の組み立て誤差等に起因して高さがわずかに異なる場合も含む意味である。
【００１５】
次に、上記構成の液晶装置においては、前記導光体を挟んで前記液晶パネルの反対側に回路基板を配設することができ、さらに、前記枠は該回路基板をも支持することができる。この構成によれば、液晶装置の構造をより一層小型に形成でき、さらに、液晶装置の組み立て性もより一層向上する。
【００１６】
次に、枠によって回路基板をも支持するようにした上記構成の液晶装置において、前記遮光層は、前記導光体と前記液晶パネルと前記回路基板とを重ね合わせた高さよりも高い高さを有することが望ましい。これにより、液晶装置からの光漏れをより一層確実に防止することが可能となる。
【００１７】
なお、回路基板を含む構成の場合における遮光層の高さは、導光体と液晶パネルと回路基板とを重ね合わせた高さとほぼ同じ高さとすることもできる。この場合でも、液晶装置の外部への光の漏れを防止することができる。ここで、「ほぼ同じ高さ」の意味は前述した通りである。
【００１８】
（２）次に、本発明に係る電子機器は、液晶層を含む液晶装置と、該液晶装置を包囲する遮光性のケースとを有し、該ケースは前記液晶装置の側面に対応して隙間を有し、前記液晶装置は、液晶層を含む液晶パネルと、該液晶パネルに光を供給する導光体と、該導光体及び前記液晶パネルを支持する枠とを有し、前記枠は、前記導光体と一体に形成されると共に前記導光体の側面の全部又は一部及び前記液晶パネルの側面の全部又は一部に対応して設けられ、さらに前記枠の全面又は一部には遮光層が設けられることを特徴とする。
【００１９】
この構成の電子機器によれば、液晶装置を構成する導光体と液晶パネルの両方をそれらの側面から支持する枠に遮光層を設けたので、導光体の側面、液晶パネルの側面及び導光体と液晶パネルとの重ね合わせ部分の側面の全てからの光漏れを確実に防止でき、それ故、液晶装置からの光漏れを防止できる。この結果、その液晶装置を利用する電子機器からの光漏れを確実に防止できる。特に、導光体と枠とが一体に形成されることにより光りが漏れ易い構造となっている液晶装置を用いる構造の電子機器であっても、光の漏れを確実に防止できる。
【００２０】
次に、上記（２）項に記載した構成の電子機器において、前記液晶装置は上記（１）項に記載した各種の構成の液晶装置によって構成されることが望ましい。
（３）次に、本発明に係る電子機器は、液晶層を含む液晶装置と、互いに組み合わされた状態で前記液晶装置を包囲する一対の遮光性のケースとを有し、該一対のケースは前記液晶装置の側面に対応して組み合わせの境目を有し、前記液晶装置は、液晶層を含む液晶パネルと、該液晶パネルに光を供給する導光体と、該導光体及び前記液晶パネルを支持する枠とを有し、前記枠は、前記導光体と一体に形成されると共に前記導光体の側面の全部又は一部及び前記液晶パネルの側面の全部又は一部に対応して設けられ、さらに前記枠の全面又は一部には遮光層が設けられることを特徴とする。
【００２１】
この構成の電子機器によれば、液晶装置を構成する導光体と液晶パネルの両方をそれらの側面から支持する枠に遮光層を設けたので、導光体の側面、液晶パネルの側面及び導光体と液晶パネルとの重ね合わせ部分の側面の全てからの光漏れを確実に防止でき、それ故、液晶装置からの光漏れを防止できる。この結果、一対のケースを組み合わせることによって液晶装置を収納する構造の電子機器に関して、それら一対のケースの組み合わせの境目から光が漏れ出ることを確実に防止できる。特に、導光体と枠とが一体に形成されることにより光りが漏れ易い構造となっている液晶装置を用いる構造の電子機器であっても、光の漏れを確実に防止できる。
【００２２】
次に、上記（３）項に記載した構成の電子機器において、前記液晶装置は上記（１）項に記載した各種の構成の液晶装置によって構成されることが望ましい。
（４）次に、本発明に係る電子機器は、液晶層を含む液晶装置と、該液晶装置を包囲する遮光性のケースとを有し、該ケースは前記液晶装置の側面に対応して電子部品の装着部が設けられ、前記液晶装置は、液晶層を含む液晶パネルと、該液晶パネルに光を供給する導光体と、該導光体及び前記液晶パネルを支持する枠とを有し、前記枠は、前記導光体と一体に形成されると共に前記導光体の側面の全部又は一部及び前記液晶パネルの側面の全部又は一部に対応して設けられ、さらに前記枠の全面又は一部には遮光層が設けられることを特徴とする。
【００２３】
上記（４）項に記載した構成の電子機器において、前記電子部品は、開口を含み該開口を通して前記ケースの内側と外側が通じるような構造の電子部品とすることができる。このような電子部品としては、例えば、スイッチ、ピンジャック等が考えられる。
【００２４】
また、上記（４）項に記載した構成の電子機器において、前記液晶装置は上記（１）項に記載した各種の構成の液晶装置によって構成されることが望ましい。
【００２５】
【発明の実施の形態】
（第１実施形態）
以下、本発明に係る液晶装置を一実施形態を例示して説明する。図１は、その液晶装置の一実施形態であって、単純マトリクス方式で半透過反射型の液晶装置を示している。ここに示す液晶装置１は、液晶パネル２と、導光体３と、液晶パネル２及び導光体３を支持する枠４と、ＬＥＤ基板６と、そして制御回路７ａを備えた制御基板７とを有する。導光体３と枠４とは樹脂によって一体に形成される。
【００２６】
上記の各要素を組み合わせた状態の断面構造が図２に示されている。液晶装置１の表示面に表示される像は、矢印Ａで示す上方から（すなわち、液晶パネル２に関して導光体３が配置される側の反対側から）認識される。図２に示す通り、液晶パネル２は導光体３の光出射面（すなわち、図の上面）に対向して配設され、ＬＥＤ基板６は導光体３の側面、すなわち光取込み面に対向して配設され、そして、制御基板７は導光体３の非光出射面（すなわち、図の下面）に対向して配設される。なお、導光体３の非光出射面には反射シート８を設けることができる。
【００２７】
液晶パネル２は、図１において、互いに対向する一対の基板９ａ及び９ｂを有し、これらの基板は環状、すなわち枠状のシール材１１によって周囲が接着される。シール材１１の適所には液晶注入口１１ａが形成される。この液晶注入口１１ａは、シール材１１によって囲まれる液晶パネル２の内部に液晶を注入した後に樹脂等によって封止される。
【００２８】
図２において、第１基板９ａは基材１２ａを有し、その基材１２ａの液晶側表面、すなわち第２基板９ｂに対向する面には、走査電極又はデータ電極のいずれか一方として作用する複数の第１電極１３ａが所定のパターン、例えばストライプ状に形成され、その上にオーバーコート層１４ａが形成され、さらにその上に配向膜１６ａが形成される。また、基材１２ａの外側表面には光学素子としての偏光板１７ａが、例えば接着によって装着されている。
【００２９】
第１基板９ａに対向する第２基板９ｂは基材１２ｂを有し、その基材１２ｂの液晶側表面、すなわち第１基板９ａに対向する面には、走査電極又はデータ電極の他方として作用する複数の第２電極１３ｂが所定パターン、例えばストライプ状に形成され、その上にオーバーコート層１４ｂが形成され、さらにその上に配向膜１６ｂが形成される。また、基材１２ｂの外側表面には光学素子としての半透過反射板２１が設けられ、その上に偏光板１７ｂが、例えば接着によって装着される。
【００３０】
第１基板９ａ及び第２基板９ｂの双方又は一方の外側表面には、必要に応じて、上記した偏光板等以外の他の素子、例えば光拡散板、位相差板等を設けることもできる。また、基材１２ａ又は１２ｂの一方の内面には、必要に応じて、上記した配向膜等以外の光学素子、例えばカラーフィルタ等を設けることができる。また、反射層内在型の半透過反射型の液晶装置とする場合には、基材１２ｂの外側に設けられる半透過反射板２１に代えて、基材１２ｂの液晶層側内面に半透過反射層を設けることができる。
【００３１】
基材１２ａ及び１２ｂは、例えば、ガラス等といった硬質な光透過性材料や、プラスチック等といった可撓性を有する光透過性材料等によって所定の平面形状、例えば長方形状や正方形状に形成される。また、第１電極１３ａ及び第２電極１３ｂは、例えば、ＩＴＯ（Indium Tin Oxide）等といった透明導電材料によって形成され、オーバーコート層１４ａ及び１４ｂは、例えば、酸化珪素、酸化チタン又はそれらの混合物等によって形成され、そして配向膜１６ａ及び１６ｂは、例えば、ポリイミド系樹脂によって形成される。
【００３２】
第１電極１３ａは、図１に示すように、複数の直線パターンを互いに平行に配列することによって、いわゆるストライプ状に形成される。一方、第２電極１３ｂは、上記第１電極１３ａに交差するように複数の直線パターンを互いに平行に配列することによって、やはりストライプ状に形成される。これらの電極１３ａと電極１３ｂとがドットマトリクス状に交差する複数の点が、像を表示するための画素を形成する。そして、それらの複数の画素によって区画形成される領域が、文字等といった像を表示するための表示領域となる。
【００３３】
以上のようにして形成された第１基板９ａ及び第２基板９ｂのいずれか一方の液晶側表面には、図２に示すように、複数のスペーサ１８が分散され、さらにいずれか一方の基板の液晶側表面にシール材１１が、例えば印刷等によって図１に示すように枠状に設けられ、さらにそのシール材１１の一部に液晶注入口１１ａが形成される。
【００３４】
両基板９ａ及び９ｂの間には、図２に示すように、スペーサ１８によって保持される均一な寸法の間隙、いわゆるセルギャップが形成され、液晶注入口１１ａ（図１参照）を通してそのセルギャップ内に液晶Ｌが注入され、その注入の完了後、液晶注入口１１ａが樹脂等によって封止される。
【００３５】
図１において、第１基板９ａは第２基板９ｂの外側へ張り出す基板張出し部９ｃを有し、第１基板９ａ上の第１電極１３ａはその基板張出し部９ｃへ直接に延び出ている。また、第２基板９ｂは第１基板９ａの外側へ張り出す基板張出し部９ｄを有し、第２基板９ｂ上の第２電極１３ｂはその基板張出し部９ｄへ直接に延び出ている。
【００３６】
図１では、各電極１３ａ及び１３ｂの構造を分かり易く示すために、それらの間隔を実際よりも広い間隔で模式的に描いてあるが、実際には各電極１３ａ及び１３ｂは非常に狭い間隔で多数本、例えば１２０本×１６０本程度の本数で形成される。また、液晶が封入される領域内に形成される電極１３ａ及び１３ｂは、直線状に形成されることに限られず、適宜の文字、図形等といったパターンとして形成されることもある。
【００３７】
図１において、基板張出し部９ｃ及び９ｄには、それぞれ、導電接続部材としてのＴＡＢ（Tape Automated Bonding）基板２２ａ及び２２ｂが異方性導電接着要素、例えばＡＣＦ（Anisotropic Conductive Film：異方性導電膜）２３によって接続される。
【００３８】
ＡＣＦ２３は、周知の通り、一対の端子間を異方性を持たせて電気的に一括接続するために用いられる導電性のある高分子フィルムであって、例えば図２に示すように、熱可塑性又は熱硬化性の樹脂フィルム２４の中に多数の導電粒子２６を分散状態で含ませることによって形成される。
【００３９】
図１において、ＴＡＢ基板２２ａ及び２２ｂは、ＴＡＢ技術を用いて形成されたＩＣ構造体であって、例えば、配線２７が形成されたＦＰＣ（Flexible Printed Circuit）２８に液晶駆動用ＩＣ２９ａ及び２９ｂをそれぞれボンディング、例えばギャングボンディングして形成される。符号３０ａ及び３０ｂは、制御基板７上の内部領域端子３４ａ及び３４ｂとの間で電気的な接続をとるための端子を示している。
【００４０】
ＡＣＦ２３を挟んで基板張出し部９ｃとＴＡＢ基板２２ａとを熱圧着、すなわち加熱下で加圧することにより、ＴＡＢ基板２２ａを基板張出し部９ｃに接着すると共に、ＴＡＢ基板２２ａ上の配線２７と第１電極１３ａの配線部分との間において一方向の導電性を持つ接続を実現する。また、基板張出し部９ｄとＴＡＢ基板２２ｂとの間に関しても同様の接着及び導電接続を実現する。
【００４１】
以上のようにして構成された液晶パネル２に関して、液晶駆動用ＩＣ２９ａ又は２９ｂによって第１電極１３ａ又は第２電極１３ｂのいずれか一方に対して行毎に走査信号電圧を印加し、さらに、それらの電極の他方に対して表示画像に基づいたデータ信号電圧を印加することにより、各画素位置の液晶層に両電圧の差電圧を印加する。光が液晶層を通過するとき、上記の差電圧が印加された各画素部分で光が変調され、この光が光出射側の偏光板を通過する結果、基板９ａ又は９ｂの外側、本実施形態の場合は基板９ａの外側に文字、数字等といった像が表示される。
【００４２】
導光体３の光取込み面側に設けられるＬＥＤ基板６は、高さの低い両脇の裾部６ａと、それらの裾部６ａ間に掛け渡された高さの高い梁部６ｂとによって形成され、発光素子である複数のＬＥＤ（Light Emitting Diode）３１がその梁部６ｂの長手方向に亘って適宜の間隔を持って実装される。梁部６ｂの底部には所定間隔を持って切欠き、すなわち凹部３７が設けられ、上記複数のＬＥＤ３１は、それらの凹部３７を挟む位置関係で設けられる。ＬＥＤ基板６の裾部６ａには端子３２が形成され、ＬＥＤ基板６の内部又は表面には、それらの端子３２、ＬＥＤ３１及び必要に応じて設けられるその他の電子部品（図示せず）をつなげるための配線（図示せず）が形成される。
【００４３】
ＬＥＤ基板６は、図１に示すように、導光体３の非光出射面側から枠４又は導光体３に装着される。この装着は、ネジや接着剤等といった特別な固着手段を用いて行うこともできるし、それに代えて、例えば、導光体３と枠４との間に形成した開口（図示せず）にＬＥＤ基板６の裾部６ａを挿入してはめ込むことによって達成することもできる。
【００４４】
ＬＥＤ基板６の裾部６ａが枠４又は導光体３に装着された状態で、ＬＥＤ基板６の梁部６ｂは導光体３の側面、すなわち光取込み面に対向する位置に配置され、これにより、その梁部６ｂに実装されたＬＥＤ３１が導光体３の光取込み面に対向して配置される。この状態は、図２の断面構造を見ることによって明らかに理解できる。
【００４５】
図１において、制御基板７は、例えばガラスエポキシ樹脂等といった非可撓性の材料によって形成され、その裏面側には制御回路７ａ、内部領域端子３４ａ及び３４ｂ、そして辺端部端子３６が設けられる。これらの要素は図示しない配線パターンを介して互いに電気的に接続される。制御回路７ａは、液晶パネル２の液晶駆動用ＩＣ２９ａ，２９ｂの動作を制御したり、ＬＥＤ３１の点灯動作を制御したり、あるいは、本液晶装置１が用いられる電子機器、例えば携帯電話機、携帯電子端末機等の動作を制御する。
【００４６】
また、内部領域端子３４ａは、液晶パネル２から延びる一方のＴＡＢ基板２２ａの端子３０ａが接続される端子である。また、内部領域端子３４ｂは、液晶パネル２から延びるもう一方のＴＡＢ基板２２ｂの端子３０ｂが接続される端子である。また、制御基板７のうちＬＥＤ基板６が接続される辺端部には、複数の凸部３８が形成され、そしてこれらの凸部３８の両脇に必然的に開口３９が形成される。
【００４７】
制御基板７の枠４への装着は、ＬＥＤ基板６の枠４への装着と同様に、ネジや接着剤等といった特別の固着手段を用いて行うこともできるし、あるいは、枠４の適所に固定用の突起（図示せず）を用いて制御基板７を止めることによって達成することもできる。
【００４８】
以上のようにして制御基板７が枠４によって支持されると、制御基板７の凸部３８がＬＥＤ基板６の凹部３７に嵌合した状態で、ＬＥＤ基板６が制御基板７の厚さ方向Ｚ−Ｚへ張り出すようにして、ＬＥＤ基板６と制御基板７とが互いに組み付けられる。このとき、各ＬＥＤ３１は制御基板７の凸部３８の両脇に必然的に形成される開口３９の中に収容される。
【００４９】
ＬＥＤ基板６と制御基板７とが互いに組み付けられたとき、ＬＥＤ基板６の端子３２と制御基板７の辺端部端子３６は互いに位置的に一致する位置関係となって互いに接触する。そして、端子３２と端子３６との当該接触部分を導電接続処理、例えば、半田付け処理することにより、ＬＥＤ基板６が電気的且つ機械的に制御基板７に接続されて１つのユニットとしての照明用光源基板が形成される。図１において、液晶パネル２は、その像表示面が外側を向く状態で枠４に装着される。このとき、一方のＴＡＢ基板２２ｂは、その先端が枠４と導光体３との間に形成される略長方形の空間Ｋ、換言すれば導光体３の切欠部Ｋ、を図１の上下方向へ通るように折り曲げられる。こうして液晶パネル２が導光体３の光出射面上に支持された後、一方のＴＡＢ基板２２ａは枠４に設けた切欠部４２を通して制御基板７の裏側へ折り曲げられ、そして図２に示すように、その先端端子３０ａが制御基板７の裏面に形成された内部領域端子３４ａに導電接続処理、例えば半田付け処理によって接続される。
【００５０】
他方、図１において、もう一方のＴＡＢ基板２２ｂは、同様にして、導光体３及び枠４を通って制御基板７の裏側へ折り曲げられ、その先端端子３０ｂが制御基板７の裏面に形成された内部領域端子３４ｂに、例えば半田付け処理によって接続される。
【００５１】
本実施形態の液晶装置１では、図１において、枠４の外周面の全面に遮光層１９が設けられる。この遮光層１９は、例えば、黒色インク又は暗色インクを塗布することによって形成される。枠４は、本実施形態の場合、導光体３と一体に形成されるので導光体３と同様に透光性を有する。ＬＥＤ３１が発光するとき、その光は導光体３に取り込まれてその内部を伝播し、さらに、透光性を有する枠４の内部にも伝播してその枠４の外部へ漏れ出ようとする。しかしながら、枠４の外周面には遮光層１９が形成されているので、導光体３の側面から枠４を経由して外部へ光が漏れ出ることを防止できる。また、遮光層１９は、液晶パネル２の側面から漏れ出る光、導光体３と液晶パネル２との間から漏れ出る光、そしてされに導光体３と制御基板７との間から漏れ出る光の各光が枠４を経由して外部へ漏れ出ることも確実に防止できる。
【００５２】
本実施形態の液晶装置１は、太陽光、室内光等といった外部光を利用して表示を行う反射型表示と、ＬＥＤ３１からの発光を利用して表示を行う透過型表示のいずれかを選択的に行うこと、すなわち半透過反射型の表示を行うことができる。
【００５３】
まず、反射型表示について考えれば、図２において、観察側（すなわち、図の上側）から液晶パネル２の内部へ入った外部光は、液晶Ｌを通過して半透過反射板２１に到達し、該半透過反射板２１で反射して再び液晶Ｌへ供給される。液晶Ｌは、第１電極１３ａと第２電極１３ｂとの間に印加される電圧、すなわち走査信号及びデータ信号によって画素ごとにその配向が制御され、これにより、液晶Ｌに供給された反射光は画素ごとに変調され、これにより観察側に文字、数字等といった像が表示される。
【００５４】
他方、透過型表示を行う場合には、第２基板９ｂの外側に配置されたＬＥＤ３１が発光し、その光が導光体３の内部を伝播した後、液晶パネル２に対向する光出射面から平面的に均一に出射して液晶パネル２へ供給される。この光は、偏光板１７ｂ、半透過反射板２１、第２基材１２ｂ、第２電極１３ｂ及び配向膜１６ｂを通過した後に液晶Ｌに供給される。この後、反射型表示の場合と同様にして表示が行われる。
【００５５】
以上のような表示が行われる間、特に透過型表示が行われる間、枠４に設けた遮光層１９は、導光体３の側面から枠４を経由して外部へ光が漏れ出ること、液晶パネル２の側面から外部へ光が漏れ出ること、導光体３と液晶パネル２との間から光が漏れ出ること、さらに、導光体３と制御基板７との間から光が漏れ出ることの全てを確実に防止できる。
【００５６】
図２において、枠４に設けられた遮光層１９の高さＨ０は、導光体３と液晶パネル２とを重ね合わせた高さＨ１よりも高いことが望ましい。こうすれば、導光体３から液晶パネル２へ至る範囲からの光の漏れを効果的に遮断できる。また、遮光層１９の高さＨ０は、導光体３、液晶パネル２及び制御基板７を重ね合わせた高さＨ２よりも高いことが望ましい。こうすれば、制御基板７から液晶パネル２へ至る範囲からの光の漏れを効果的に遮断できる。
【００５７】
本実施形態の液晶装置１は、図３に示すように、携帯電話機、携帯電子端末機等といった電子機器４０に用いられることがある。この電子機器４０は夜間、室内等といった暗所で用いられることがある。このとき、液晶装置１から光が漏れ出ると、この液晶装置１を収納した電子機器４０のケース４１の隙間Ｇから光が漏れ出ることがあり、この場合には、電子機器４０の製品価値が著しく低下する。また、電子機器４０のケース４１には、ピンジャックを挿入するための開口４３等といった電子部品の装着部が設けられることがあり、この開口４３等からも光が漏れ出ることがある。この場合にも電子機器４０の製品価値が著しく低下する。
【００５８】
これに対し、本実施形態の液晶装置１では、導光体３、制御基板７及び液晶パネル２を支持する枠４の外周面に遮光層１９を設けたので、液晶装置１の側面からの光の漏れを確実に防止でき、それ故、電子機器４０のケース４１からの光の漏れを確実に防止できる。
【００５９】
なお、遮光層１９は、光の漏れを防止したい個所だけに対応して、枠４の外周面の全面ではなくて、その一部分に設けることもできる。また、遮光層１９は図４に示すように、枠４の外周面に限らず、その内周面にも設けることができる。
（第２実施形態）
図５は、本発明に係る電子機器の一実施形態である携帯電話機を示している。ここに示した携帯電話機５０は、アンテナ５１、スピーカ５２、液晶装置６０、キースイッチ５３、マイクロホン５４等といった各種構成要素を、外装ケース５６に格納することによって構成される。外装ケース５６は一対のケースである第１ケース５６ａと第２ケース５６ｂとを組み合わせることによって形成され、その内部に制御回路基板５７が収納される。この制御回路基板５７は、液晶装置６０等といった上記の各種の構成要素の動作を制御するための制御回路を搭載している。
【００６０】
第１ケース５６ａと第２ケース５６ｂとの間には組み合わせの境目Ｓが形成され、この境目Ｓには微小な間隙が形成される。また、外装ケース５６の側面の適所には、電子部品としてのスイッチ５８及びピンジャック差し込み用の差込み口５９が設けられる。本実施形態ではケース境目Ｓにスイッチ５８等が設けられているが、境目Ｓとは別の所に電子部品が設けられることもある。
【００６１】
この携帯電話機５０では、キースイッチ５３及びマイクロホン５４を通して入力される信号や、アンテナ５１によって受信した受信データ等が制御回路基板５７の制御回路に入力される。そしてその制御回路は、入力した各種のデータに基づいて液晶装置６０の表示面内に数字、文字、図形等といった像を表示し、さらにアンテナ５１から送信データを送信する。この携帯電話機５０において、液晶装置６０は図１に示した液晶装置１を用いて構成できる。
【００６２】
図６は、図５に示す携帯電話機、あるいはその他の電子機器に用いられる電気制御系の一実施形態を示している。ここに示す電気制御系は、表示情報出力源８０、表示情報処理回路８１、電源回路８２、タイミングジェネレータ８３、そして表示装置としての液晶装置８４を有する。また、液晶装置８４は液晶パネル８５及び駆動回路８６を有する。液晶装置８４は、例えば図１に示した液晶装置１を用いて構成できる。
【００６３】
表示情報出力源８０は、ＲＯＭ（Read Only Memory）、ＲＡＭ（Random Access Memory）等といったメモリ、各種ディスク等といったストレージユニット、デジタル画像信号を同調出力する同調回路等を備え、タイミングジェネレータ８３によって生成された各種のクロック信号に基づいて、所定フォーマットの画像信号等といった表示情報を表示情報処理回路８１に供給する。
【００６４】
表示情報処理回路８１は、シリアル−パラレル変換回路や、増幅・反転回路、ローテーション回路、ガンマ補正回路、クランプ回路等といった周知の各種回路を備え、入力した表示情報の処理を実行して、その画像信号をクロック信号ＣＬＫと共に駆動回路８６へ供給する。駆動回路８６は走査線駆動回路、データ線駆動回路、検査回路等を含んで構成される。また、電源回路８２は各構成要素に所定の電圧を供給する。
【００６５】
図５に示す携帯電話機５０をIII−III線に従って断面構造として観察すると、例えば図３に示すようになる。同図において、液晶装置６０は、その側面、すなわち枠４の側面が第１ケース５６ａと第２ケース５６ｂとの境目Ｓに対応する状態で外装ケース５６の内部に収納される。
【００６６】
液晶装置６０が透過型表示を行う場合、ＬＥＤ３１からの発光は外装ケース５６の境目Ｓや差込み口５９を通して外部へ漏れ出るおそれがある。このような光の漏れが発生すると、携帯電話機としての製品価値が低下する。これに対し本実施形態では、枠４の外周面、場合によっては外周面及び内周面の両方、の全面又は一部表面に遮光層１９を設けたので、液晶装置６０の側面からの光の漏れが遮断され、このため、外装ケース５６の境目Ｓや差込み口５９等からの光の漏れを確実に防止できる。
【００６７】
（その他の実施形態）
以上、好ましい実施形態を挙げて本発明を説明したが、本発明はその実施形態に限定されるものでなく、請求の範囲に記載した発明の範囲内で種々に改変できる。
【００６８】
例えば、図１に示す実施形態は単純マトリクス方式の液晶装置に本発明を適用したものであるが、本発明は、ＴＦＤ（Thin Film Diode）等といった２端子型スイッチング素子をアクティブ素子として用いる構造のアクティブマトリクス方式の液晶装置や、ＴＦＴ（Thin Film Transistor）等といった３端子型スイッチング素子をアクティブ素子として用いる構造のアクティブマトリクス方式の液晶装置等にも適用できる。
【００６９】
また、図１の液晶装置では、反射膜を液晶パネルの外側に配置する構造の、いわゆる外面反射型の液晶装置を例示したが、液晶パネルの内面に反射膜を配置する構造の、いわゆる内面反射型の液晶装置に対しても本発明を適用することができる。また、図１の液晶装置では、半透過反射型の液晶装置を例示したが、反射型の液晶装置及び透過型の液晶装置に本発明を適用できることは、もちろんである。
【００７０】
また、本発明に係る電子機器は、図５に示した携帯電話機に限られず、その他任意の電子機器、例えば携帯電子端末機、デジタルカメラ等とすることもできる。
【００７１】
また、枠に設ける遮光層は、黒色インクを塗布して形成することに限定されず、遮光シートを貼り付けたり、あるいは、所望の成膜方法を用いて形成したりしても良い。
【００７２】
【発明の効果】
以上説明したように、本発明に係る液晶装置によれば、導光体と液晶パネルの両方をそれらの側面から支持する枠に遮光層を設けたので、導光体の側面、液晶パネルの側面、さらには導光体と液晶パネルとの重ね合わせ部分の側面の全てからの光漏れを確実に防止でき、それ故、液晶装置からの光漏れ、ひいては、その液晶装置を利用する電子機器からの光漏れを確実に防止できる。
【００７３】
また、本発明に係る電子機器によれば、暗所で使用した場合にも外装ケースから光が漏れることの無い、高品質の電子機器を提供できる。
【図面の簡単な説明】
【図１】本発明に係る液晶装置の一実施形態を分解状態で示す斜視図である。
【図２】図１のＩＩ−ＩＩ線に従って液晶装置の断面構造を示す断面図である。
【図３】電子機器の断面構造の一例を示す断面図である。
【図４】本発明に係る液晶装置の他の実施形態の断面構造を示す断面図である。
【図５】本発明に係る電子機器の一例である携帯電話機の一実施形態を示す斜視図である。
【図６】図５の携帯電話機あるいはその他の電子機器で用いられる電気制御系の一実施形態を示すブロック図である。
【符号の説明】
１            液晶装置
２            液晶パネル
３            導光体
４            枠
６            ＬＥＤ基板
７            制御基板
８            反射シート
９ａ，９ｂ    基板
９ｃ，９ｄ    基板張り出し部
１２ａ，１２ｂ  基材
１３ａ，１３ｂ  電極
１７ａ，１７ｂ  偏光板
１９            遮光層
２１            半透過反射板
４０            電子機器
５０            携帯電話機（電子機器）
５６            外装ケース
５６ａ，５６ｂ  ケース
５８            スイッチ（電子部品）
５９            差込み口（電子部品）
６０            液晶装置
Ｇ            隙間
Ｈ０          遮光層の高さ
Ｈ１          導光体と液晶パネルの組み合わせ高さ
Ｈ２          制御基板と導光体と液晶パネルの組み合わせ高さ
Ｋ            空間（切欠部）
Ｌ            液晶
Ｓ            ケースの境目
【図１】
0003879417.tif 000002
【図２】
0003879417.tif 000003
【図３】
0003879417.tif 000004
【図４】
0003879417.tif 000005
【図５】
0003879417.tif 000006
【図６】
0003879417.tif 000007